(57)【要約】  本発明は、視差バリア、表示装置及びその表示状態制御方法に関し、表示技術分野に属する。視差バリアは、密封されたキャビティと、密封されたキャビティの光出射側に設置された第１の偏光シートとを含み、密封されたキャビティは、互いに平行な２つの基板と、２つの基板の間に設置された液晶層とを含み、２つの基板は第１の基板と第２の基板とを含み、第１の基板の第２の基板に近い一面には第１の透明電極層が設置され、第１の透明電極層は第１の方向と第２の方向に沿ってアレイ状に配列された複数の透明電極ブロックであり、第２の基板の第１の基板に近い一面には第２の透明電極層が設置され、第２の透明電極層は透明電極ブロックと液晶を偏向させる電圧差を形成することができる。異なる透明電極ブロックを制御することにより、視差バリアが２つの方向でプライバシー保護を行うことができるようにし、プライバシー保護の信頼性を高めた。本発明は表示装置に用いられる。【選択図】図１−２
2019502938.tif 000002
【特許請求の範囲】
【請求項１】
密封されたキャビティと、前記密封されたキャビティの光出射側に設置された第１の偏光シートとを含み、
前記密封されたキャビティは、互いに平行な２つの基板と、前記２つの基板の間に設置された液晶層とを含み、
前記２つの基板は第１の基板と第２の基板とを含み、前記第１の基板の前記第２の基板に近い一面には第１の透明電極層が設置され、前記第１の透明電極層は第１の方向と第２の方向に沿ってアレイ状に配列された複数の透明電極ブロックであり、
前記第２の基板の前記第１の基板に近い一面には第２の透明電極層が設置され、前記第２の透明電極層は前記透明電極ブロックと前記液晶層における液晶を偏向させる電圧差を形成することができ、
前記第１の方向では、隣接する２つの透明電極ブロックごとに、その間には第１のスイッチが設置され、前記第２の方向では、隣接する２つの透明電極ブロックごとに、その間には第２のスイッチが設置され、
前記密封されたキャビティの光入射側から入射された直線偏光は、前記密封されたキャビティにおける液晶の制御のもとで前記第１の偏光シートを透過し、或いは前記第１の偏光シートによりフィルタリングされることを特徴とする視差バリア。
【請求項２】
前記視差バリアは、前記密封されたキャビティの光入射側に設置された第２の偏光シートをさらに含み、前記第２の偏光シートは前記第１の偏光シートの偏光方向と所定の角度をなし、前記第２の偏光シートを通って前記密封されたキャビティに入射された光線は直線偏光であることを特徴とする請求項１に記載の視差バリア。
【請求項３】
前記所定の角度は９０度であることを特徴とする請求項２に記載の視差バリア。
【請求項４】
前記第１の方向は前記第２の方向と直交していることを特徴とする請求項１に記載の視差バリア。
【請求項５】
前記第１のスイッチと前記第２のスイッチとは、いずれも薄膜電界効果トランジスタＴＦＴスイッチであることを特徴とする請求項１に記載の視差バリア。
【請求項６】
前記第１の透明電極層と前記第２の透明電極層とは、いずれも酸化インジウムスズＩＴＯからなることを特徴とする請求項１に記載の視差バリア。
【請求項７】
前記透明電極ブロックの各々は角形の構造であることを特徴とする請求項１に記載の視差バリア。
【請求項８】
表示パネルと、前記表示パネルの光出射面に設置された視差バリアとを含み、前記視差バリアは請求項１から請求項８のうちいずれか１項に記載の視差バリアであることを特徴とする表示装置。
【請求項９】
前記第１の偏光シートは前記密封されたキャビティの前記表示パネルから離れた一面に設置され、前記第２の偏光シートは前記密封されたキャビティの前記表示パネルに近い一面に設置され、
前記表示装置は、前記表示パネルの前記密封されたキャビティに近い側に設置された第３の偏光シートを含み、前記第２の偏光シートと前記第３の偏光シートは一体化した構造であることを特徴とする請求項８に記載の表示装置。
【請求項１０】
前記表示装置は、複数本の交差して配置されたゲートラインとデータラインとをさらに含み、前記第１の方向は前記ゲートラインの走査方向であり、前記第２の方向は前記データラインの走査方向であることを特徴とする請求項８に記載の表示装置。
【請求項１１】
前記表示装置はセンサユニットとコントローラとをさらに含み、
前記センサユニットは前記表示装置のコンテンツ表示方向を取得するために用いられ、
前記コントローラは、前記コンテンツ表示方向に基づき、前記視差バリアにおけるスイッチのオン又はオフを制御するために用いられることを特徴とする請求項８に記載の表示装置。
【請求項１２】
前記センサユニットは重力センサであることを特徴とする請求項１１に記載の表示装置。
【請求項１３】
請求項１から請求項１２のうちいずれか１項に記載の視差バリアに用いられる表示状態制御方法であって、
前記複数の透明電極ブロックは、第１の方向に沿ってアレイ状に配列された複数の第１の電極セットに分けられることができ、前記第１の電極セットはいずれも第２の方向に沿って配列された複数の透明電極ブロックを含み、或いは、前記複数の透明電極ブロックは、第２の方向に沿ってアレイ状に配列された複数の第２の電極セットに分けられることができ、前記第２の電極セットはいずれも第１の方向に沿って配列された複数の透明電極ブロックを含み、
前記表示装置のコンテンツ表示方向を取得するステップ、及び
前記コンテンツ表示方向に基づき、前記コンテンツ表示方向にマッチングする目標遮蔽状態を呈するように前記視差バリアを制御するステップを備え、
ここで、前記目標遮蔽状態は第１の遮蔽状態又は第２の遮蔽状態であり、前記第１の遮蔽状態は、前記複数の第１の電極セットの中の任意の隣接する２つの第１の電極セットにおける１つの電極セットと第２の透明電極層とが液晶を偏向させる電圧差を形成し、もう１つの電極セットと前記第２の透明電極層とが前記電圧差を形成しない時に、前記視差バリアが呈する状態であり、
前記第２の遮蔽状態は、前記複数の第２の電極セットの中の任意の隣接する２つの第２の電極セットにおける１つの電極セットと第２の透明電極層とが液晶を偏向させる電圧差を形成し、もう１つの電極セットと前記第２の透明電極層とが前記電圧差を形成しない時に、前記視差バリアが呈する状態であることを特徴とする表示状態制御方法。
【請求項１４】
前記表示装置のコンテンツ表示方向を取得するステップは、
重力センサにより前記表示装置のコンテンツ表示方向を取得するステップを含むことを特徴とする請求項１３に記載の表示状態制御方法。
【発明の詳細な説明】
【技術分野】
【０００１】
本発明は、表示技術分野に関し、特に、視差バリア（ｐａｒａｌｌａｘ  ｂａｒｒｉｅｒ）、表示装置及びその表示状態制御方法に関する。
【背景技術】
【０００２】
現在、製造者は、広視野角なコンテンツ表示を実現し、複数のユーザーがそれぞれ各角度から表示装置の表示コンテンツを共有し鑑賞するように、表示ディスプレイの視野角を拡大させる傾向がある。しかしながら、表示コンテンツに秘密情報が含まれる場合、当該秘密情報が他人に覗かれることは望まれるわけがなく、表示装置の広視野角な表示効果はこの場合のユーザーのニーズを満たせないことが明らかとなった。
【０００３】
関連技術では、表示装置は表示パネルと表示パネルの光出射面に位置する視差バリアとを含み、当該表示装置にはさらに、フロントカメラが設置され、表示装置は、フロントカメラによりユーザーの瞳孔の位置変化を検知し、表示コンテンツの視野角が視差バリアにより制限されるように、表示装置の表示コンテンツを調整することにより、表示コンテンツが一定の角度の範囲内では見えないことを確保した。
【０００４】
本発明を実現する過程で、発明者らは、関連技術に少なくとも以下の問題が存在することを見出した。
【０００５】
従来の視差バリアがプライバシー保護を行う方向は固定な方向であるため、プライバシー保護の信頼性は比較的低い。
【発明の概要】
【発明が解決しようとする課題】
【０００６】
関連技術のプライバシー保護の信頼性が比較的低いという問題を解決するために、本発明は、視差バリア、表示装置及びその表示状態制御方法を提供する。前記技術案は以下のようである。
【０００７】
本発明の第１の態様によれば、視差バリアを提供し、前記視差バリアは、
密封されたキャビティと、前記密封されたキャビティの光出射側に設置された第１の偏光シートとを含み、
前記密封されたキャビティは、互いに平行な２つの基板と、前記２つの基板の間に設置された液晶層とを含み、
前記２つの基板は第１の基板と第２の基板とを含み、前記第１の基板の前記第２の基板に近い一面には第１の透明電極層が設置され、前記第１の透明電極層は第１の方向と第２の方向に沿ってアレイ状に配列された複数の透明電極ブロックであり、
前記第２の基板の前記第１の基板に近い一面には第２の透明電極層が設置され、前記第２の透明電極層は前記透明電極ブロックと前記液晶層における液晶を偏向させる電圧差を形成することができ、
前記第１の方向では、隣接する２つの透明電極ブロックごとに、その間には第１のスイッチが設置され、前記第２の方向では、隣接する２つの透明電極ブロックごとに、その間には第２のスイッチが設置され、
前記密封されたキャビティの光入射側から入射された直線偏光は、前記密封されたキャビティにおける液晶の制御のもとで、前記第１の偏光シートを透過し、或いは前記第１の偏光シートによりフィルタリングされることができる。
【０００８】
選択的に、前記視差バリアは、前記密封されたキャビティの光入射側に設置された第２の偏光シートをさらに含み、前記第２の偏光シートは前記第１の偏光シートの偏光方向と所定の角度をなし、前記第２の偏光シートを通って前記密封されたキャビティに入射された光線は直線偏光である。
【０００９】
選択的に、前記所定の角度は９０度である。
【００１０】
選択的に、前記第１の方向は前記第２の方向と直交している。
【００１１】
選択的に、前記第１のスイッチと第２のスイッチとは、いずれも薄膜電界効果トランジスタＴＦＴスイッチである。
【００１２】
選択的に、前記第１の透明電極層と前記第２の透明電極層とは、いずれも酸化インジウムスズＩＴＯからなる。
【００１３】
選択的に、透明電極ブロックの各々は角形の構造である。
【００１４】
本発明の第２の態様によれば、表示装置を提供し、
表示パネルと、前記表示パネルの光出射面に設置された視差バリアとを含み、前記視差バリアは第１の態様で提供された視差バリアである。
【００１５】
選択的に、前記第１の偏光シートは前記密封されたキャビティの前記表示パネルから離れた一面に設置され、前記第２の偏光シートは前記密封されたキャビティの前記表示パネルに近い一面に設置され、
前記表示装置は、前記表示パネルの前記密封されたキャビティに近い側に設置された第３の偏光シートを含み、前記第２の偏光シートと前記第３の偏光シートは一体化した構造である。
【００１６】
選択的に、前記表示装置は、複数本の交差して配置されたゲートラインとデータラインとをさらに含み、前記第１の方向は前記ゲートラインの走査方向であり、前記第２の方向は前記データラインの走査方向である。
【００１７】
選択的に、前記表示装置はセンサユニットとコントローラとをさらに含み、
前記センサユニットは前記表示装置のコンテンツ表示方向を取得するために用いられ、
前記コントローラは、前記コンテンツ表示方向に基づき、前記視差バリアにおけるスイッチのオン又はオフを制御するために用いられる。
【００１８】
選択的に、前記センサユニットは重力センサである。
【００１９】
本発明の第３の態様によれば、第１の態様又は第２の態様のいずれかに記載の視差バリアに用いられる表示状態制御方法を提供し、前記複数の透明電極ブロックは、第１の方向に沿ってアレイ状に配列された複数の第１の電極セットに分けられることができ、前記第１の電極セットはいずれも第２の方向に沿って配列された複数の透明電極ブロックを含み、或いは、前記複数の透明電極ブロックは、第２の方向に沿ってアレイ状に配列された複数の第２の電極セットに分けられることができ、前記第２の電極セットはいずれも第１の方向に沿って配列された複数の透明電極ブロックを含み、
前記表示装置のコンテンツ表示方向を取得するステップ、
前記コンテンツ表示方向に基づき、前記コンテンツ表示方向にマッチングする目標遮蔽状態を呈するように前記視差バリアを制御するステップを備え、
ここで、前記目標遮蔽状態は第１の遮蔽状態又は第２の遮蔽状態であり、前記第１の遮蔽状態は、前記複数の第１の電極セットにおいて任意の隣接する２つの第１の電極セットにおける１つの電極セットと第２の透明電極層とが液晶を偏向させる電圧差を形成し、もう１つの電極セットと前記第２の透明電極層とが前記電圧差を形成しない時に、前記視差バリアが呈する状態であり、
前記第２の遮蔽状態は、前記複数の第２の電極セットにおいて任意の隣接する２つの第２の電極セットにおける１つの電極セットと第２の透明電極層とが液晶を偏向させる電圧差を形成し、もう１つの電極セットと前記第２の透明電極層とが前記電圧差を形成しない時に、前記視差バリアが呈する状態である。
【００２０】
選択的に、前記表示装置のコンテンツ表示方向を取得するステップは、
重力センサにより前記表示装置のコンテンツ表示方向を取得するステップを含む。
【発明の効果】
【００２１】
第１の方向と第２の方向に沿ってアレイ状に配列された複数の透明電極ブロックを制御することにより、視差バリアにおいて第１の方向で制御される透明電極ブロックに対応する液晶を偏向させ、或いは、第２の方向で制御される透明電極ブロックに対応する液晶を偏向させ、さらには当該視差バリアが２つの方向でプライバシー保護を行うことができるようにし、プライバシー保護の柔軟性を向上させ、プライバシー保護の信頼性を高めた。
【図面の簡単な説明】
【００２２】
以下、本発明の実施例に係る技術案をより明確に説明するために、実施例の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図１−１】本発明の一例示的な実施例で提供された視差バリアの平面構造の模式図である。
【図１−２】本発明の一例示的な実施例で提供された視差バリアの膜層構造の模式図である。
【図１−３】本発明の一例示的な実施例で提供された他の視差バリアの平面構造の模式図である。
【図２】本発明の一例示的な実施例で提供された他の視差バリアの膜層構造の模式図である。
【図３】本発明の一例示的な実施例で提供された別の視差バリアの平面構造の模式図である。
【図４−１】本発明の一例示的な実施例で提供された視差バリアが遮蔽状態にある場合の効果図である。
【図４−２】本発明の一例示的な実施例で提供された他の視差バリアが遮蔽状態にある場合の効果図である。
【図５】本発明の一例示的な実施例で提供された表示装置の構造の模式図である。
【図６】本発明の一例示的な実施例で提供された表示状態制御方法のフローチャートである。
【図７−１】本発明の一例示的な実施例で提供された他の表示状態制御方法のフローチャートである。
【図７−２】関連技術において表示装置がプライバシー表示モードにある場合の原理図である。
【図７−３】表示装置のコンテンツ表示方向が第２の方向である場合に対応する遮蔽状態の効果図である。
【図７−４】本発明の一例示的な実施例で提供された表示装置のコンテンツ表示方向が第１の方向である場合に対応する遮蔽状態の効果図である。
【図７−５】関連技術で提供された表示装置のコンテンツ表示方向が第１の方向である場合に対応する遮蔽状態の効果図である。
【発明を実施するための形態】
【００２３】
本発明の目的、技術案、及び利点をより明確にするために、以下、図面を参照しながら、本発明についてさらに詳細に説明する。なお、説明される実施例は、単に本発明の一部の実施例に過ぎず、すべての実施例ではない。当業者が本発明の実施例に基づいて、創造的な労働をしていない前提で獲得する他のすべての実施例は、本発明の保護範囲に属する。
【００２４】
図１−１及び図１−２を参照し、図１−１は本発明の一例示的な実施例で提供された視差バリアの平面構造の模式図であり、図１−２は本発明の一例示的な実施例で提供された視差バリアの膜層構造の模式図である。この視差バリアは、
密封されたキャビティ１０と、前記密封されたキャビティ１０の光出射側に設置された第１の偏光シート２０とを含み、前記第１の偏光シートは直線偏光シートである。
【００２５】
前記密封されたキャビティ１０は、互いに平行な２つの基板と、前記２つの基板の間に設置された液晶層１３とを含む。
【００２６】
前記２つの基板は第１の基板１１と第２の基板１２とを含み、前記第１の基板１１の第２の基板１２に近い一面には第１の透明電極層１４が設置され、前記第１の透明電極層１４は第１の方向（ｘ軸方向）と第２の方向（ｙ軸方向）に沿ってアレイ状に配列された複数の透明電極ブロック１４１である。
【００２７】
前記第２の基板１２の第１の基板１１に近い一面には第２の透明電極層１５が設置され、前記第２の透明電極層１５は透明電極ブロック１４１と液晶層１３における液晶を偏向させる電圧差を形成することができる。第１の透明電極層１４における透明電極ブロック１４１及び第２の透明電極層１５への電圧の印加を制御することにより、液晶を偏向或いは非偏向させることで、視差バリアの光透過性を調整し制御することができる。
【００２８】
第１の方向では、隣接する２つの透明電極ブロック１４１ごとに、その間には第１のスイッチ１６が設置され、第２の方向では、隣接する２つの透明電極ブロック１４１ごとに、その間には第２のスイッチ１７が設置される。
【００２９】
密封されたキャビティ１０の光入射側から入射された直線偏光Ｓは、密封されたキャビティ１０における液晶の制御のもとで、第１の偏光シート２０を透過し、或いは第１の偏光シート２０によりフィルタリングされることができる。
【００３０】
本発明の実施例では、第１の偏光シート２０の偏光方向が直線偏光Ｓの偏光方向と直交している時に、液晶層１３における液晶が非偏向した場合、直線偏光Ｓは第１の偏光シート２０を透過し、液晶層１３における液晶が偏向した場合、直線偏光Ｓは第１の偏光シート２０によりフィルタリングされる。第１の偏光シート２０の偏光方向が直線偏光Ｓの偏光方向と同じである時に、液晶層１３における液晶が偏向した場合、直線偏光Ｓは第１の偏光シート２０を透過し、液晶層１３における液晶が非偏向した場合、直線偏光Ｓは第１の偏光シート２０によりフィルタリングされる。
【００３１】
実際の応用では、第２の透明電極層１５が透明電極ブロック１４１と電圧差を形成する方式は通常２種類あり、１つは第２の透明電極層１５に電圧を印加し、且つ透明電極ブロック１４１にも電圧を印加するが、この２つの電圧値が異なり、もう１つは第２の透明電極層１５に電圧を印加しなく（通常、接地され）、且つ透明電極ブロック１４１に電圧を印加する。第２の透明電極層１５が透明電極ブロック１４１と電圧差を形成しない方式は通常２種類あり、１つは第２の透明電極層１５に電圧を印加し、且つ透明電極ブロック１４１にも電圧を印加するが、この２つの電圧値が同じであり、もう１つは第２の透明電極層１５と透明電極ブロック１４１とのいずれにも電圧を印加しない。
【００３２】
以下の実施例は、第２の透明電極層１５が接地される場合（即ち、第２の透明電極層１５に連続的に電圧を印加しない）を例として説明し、この時に、透明電極ブロック１４１への電圧の印加を調整することにより、第２の透明電極層１５が透明電極ブロック１４１と電圧差を形成するかどうかを制御することができ、即ち、透明電極ブロック１４１へ電圧を印加する場合、第２の透明電極層１５は透明電極ブロック１４１と電圧差を形成し、液晶が偏向し、透明電極ブロック１４１へ電圧を印加しない場合、第２の透明電極層１５は透明電極ブロック１４１と電圧差を形成しなく、液晶が非偏向する。通常、透明電極ブロック１４１に接続する薄膜電界効果トランジスタ（Ｔｈｉｎ  Ｆｉｌｍ  Ｔｒａｎｓｉｓｔｏｒ，ＴＦＴ）を採用して透明電極ブロック１４１へ電圧を印加するかどうかを制御することができる。実際の応用では、その他の制御方法は、上記透明電極ブロック１４１を制御することにより電圧差を調整する方法を参照することができ、本発明の実施例において、これについては説明を省略する。
【００３３】
本発明の実施例では、図１−３を参照し、図１−３は本発明の一例示的な実施例で提供された他の視差バリアの平面構造の模式図であり、複数の透明電極ブロック１４１は、第１の方向（図１−３においてｘ軸方向、即ち行方向を例として説明する）に沿ってアレイ状に配列された複数の第１の電極セット１４１１に分けられることができ、各第１の電極セット１４１１は第２の方向（図１−３においてｙ軸方向、即ち列方向を例として説明する）に沿って配列された複数の透明電極ブロック１４１を含み、或いは、複数の透明電極ブロック１４１は、第２の方向に沿ってアレイ状に配列された複数の第２の電極セット１４１２に分けられることができ、各第２の電極セット１４１２は第１の方向に沿って配列された複数の透明電極ブロック１４１を含む。任意の隣接する２つの第１の電極セット１４１１における１つの電極セットが第２の透明電極層と液晶を偏向させる電圧差を形成し、もう１つの電極セットが当該第２の透明電極層と液晶を偏向させる電圧差を形成しないように制御すると、この時、第１の方向に沿って間隔を置いて配列された光透過領域と非光透過領域を形成する。任意の隣接する２つの第２の電極セット１４１２における１つの電極セットが第２の透明電極層と液晶を偏向させる電圧差を形成し、もう１つの電極セットが第２の透明電極層と液晶を偏向させる電圧差を形成しないように制御すると、この時、第２の方向に沿って間隔を置いて配列された光透過領域と非光透過領域を形成する。
【００３４】
本発明の実施例では、各隣接する２つの第１の電極セットがいずれも１列の透明電極ブロックを含み、或いは各隣接する２つの第２の電極セットがいずれも１行の透明電極ブロックを含むことを例に挙げて説明したが、実際の応用では、各隣接する２つの第１の電極セットに含まれる透明電極ブロックの列の数は異なってもよく、或いは各隣接する２つの第２の電極セットに含まれる透明電極ブロックの行の数は異なってもよい。例えば、各隣接する２つの第１の電極セットにおいて、１つの電極セットが１列の透明電極ブロックを含み、もう１つの電極セットが２列の透明電極ブロックを含み、或いは、各隣接する２つの第２の電極セットにおいて、１つの電極セットが１行の透明電極ブロックを含み、もう１つの電極セットが２行の透明電極ブロックを含む。本発明の実施例では、透明電極ブロックの分け方式については特に限定しない。
【００３５】
つまり、本発明の実施例は、視差バリアを提供し、第１の方向と第２の方向に沿ってアレイ状に配列された複数の透明電極ブロックを制御することにより、視差バリアにおいて第１の方向で制御される透明電極ブロックに対応する液晶を偏向させ、或いは、第２の方向で制御される透明電極ブロックに対応する液晶を偏向させ、さらには当該視差バリアが２つの方向でプライバシー保護を行うことができるようにし、プライバシー保護の柔軟性を向上させ、プライバシー保護の信頼性を高めた。
【００３６】
選択的に、図２を参照し、図２は本発明の一例示的な実施例で提供された他の視差バリアの膜層構造の模式図であり、前記視差バリアは、密封されたキャビティ１０の光入射側に設置された第２の偏光シート３０をさらに含み、第２の偏光シート３０は第１の偏光シート２０の偏光方向と所定の角度をなし、第２の偏光シート３０を経て密封されたキャビティ１０に入射された光線は直線偏光Ｓである。前記所定の角度は９０度であってもよい。第２の透明電極層１５が透明電極ブロック１４１と液晶を偏向させる電圧差を形成しないことが可能である場合（即ち、第２の透明電極層１５と透明電極ブロック１４１とのいずれにも電圧を印加しない）、偏光Ｓは、液晶層１３を経た後、全て第１の偏光シート２０を経て出射されてもよい。実際の応用では、液晶層１３の両側に液晶を載せるための配向層１８をさらに設置する必要があり、液晶層１３の周囲には、液晶が密封されたキャビティ１０から漏れるのを防止することができる密封されたプラスチックボックス１９がさらに設置される。
【００３７】
本発明の実施例では、図２に示すように、第１の透明電極層１４と第２の透明電極層１５とは、いずれも酸化インジウムスズ（Ｉｎｄｉｕｍ  Ｔｉｎ  Ｏｘｉｄｅ，ＩＴＯ）からなり、当該第１の透明電極層１４における透明電極ブロック１４１の各々は角形の構造である。
【００３８】
選択的に、図３を参照し、図３は本発明の一例示的な実施例で提供された別の視差バリアの平面構造の模式図であり、第１の方向（図３においてｘ軸方向、即ち行方向を例として説明する）は第２の方向（図３においてｙ軸方向、即ち列方向を例として説明する）と直交している。前記第１のスイッチ１６と第２のスイッチ１７とは、いずれもＴＦＴスイッチである。
【００３９】
例示的に、図３に示すように、各隣接する２つの第１の電極セットにおいて、１つの第１の電極セット１４１１ａのそれぞれの第２のスイッチ１７はいずれも制御線ａに接続され、もう１つの第１の電極セット１４１１ｂのそれぞれの第２のスイッチ１７はいずれも制御線ｂに接続され、また、各隣接する２つの第２の電極セットにおいて、１つの第２の電極セット１４１２ｃのそれぞれの第１のスイッチ１６はいずれも制御線ｃに接続され、もう１つの第２の電極セット１４１２ｄのそれぞれの第１のスイッチ１６はいずれも制御線ｄに接続され、且つ各制御線ａは制御バスＡに接続され、各制御線ｂは制御バスＢに接続され、各制御線ｃは制御バスＣに接続され、各制御線ｄは制御バスＤに接続される。
【００４０】
図４−１及び図４−２を参照し、図４−１は本発明の一例示的な実施例で提供された視差バリアが遮蔽状態にある場合の効果図であり、図４−２は本発明の一例示的な実施例で提供された他の視差バリアが遮蔽状態にある場合の効果図であり、図４−１と図４−２における白色の領域は光透過領域であり、黒色の領域は非光透過領域である。
【００４１】
例えば、図４−１に示す遮蔽状態を形成することが必要となる場合、制御バスＡ、Ｂ、Ｄに電圧を印加しなく、制御バスＣに電圧を印加してもよく、或いは、制御バスＡ、Ｂ、Ｃに電圧を印加しなく、制御バスＤに電圧を印加してもよく、この時、任意の隣接する２つの第２の電極セットにおける１つの電極セットが第２の透明電極層と液晶を偏向させる電圧差を形成し、もう１つの電極セットが第２の透明電極層と液晶を偏向させる電圧差を形成しないようにすることにより、第２の方向に沿って間隔をおいて配列された光透過領域と非光透過領域を形成する。図４−２に示す遮蔽状態を形成することが必要となる場合、制御バスＢ、Ｃ、Ｄに電圧を印加しなく、制御バスＡに電圧を印加してもよく、或いは、制御バスＡ、Ｃ、Ｄに電圧を印加しなく、制御バスＢに電圧を印加してもよく、この時、任意の隣接する２つの第１の電極セットにおける１つの電極セットが第２の透明電極層と液晶を偏向させる電圧差を形成し、もう１つの電極セットが第２の透明電極層と液晶を偏向させる電圧差を形成しないようにすることにより、第１の方向に沿って間隔をおいて配列された光透過領域と非光透過領域を形成する。
【００４２】
つまり、本発明の実施例は、視差バリアを提供し、第１の方向と第２の方向に沿ってアレイ状に配列された複数の透明電極ブロックを制御することにより、視差バリアにおいて第１の方向で制御される透明電極ブロックに対応する液晶を偏向させ、或いは、第２の方向で制御される透明電極ブロックに対応する液晶を偏向させ、さらには当該視差バリアが２つの方向でプライバシー保護を行うことができるようにし、プライバシー保護の柔軟性を向上させ、プライバシー保護の信頼性を高めた。
【００４３】
図５は本発明の一例示的な実施例で提供された表示装置の構造の模式図である。当該表示装置は、表示パネル０２と当該表示パネル０２の光出射面に設置された視差バリア０１を含むことができ、当該視差バリア０１は図２に示す視差バリアであってもよい。
【００４４】
選択的に、図５に示すように、視差バリア０１の一方側に設置された第１の偏光シート２０は表示パネル０２の光出射面から離れ、視差バリア０１の他方側に設置された第２の偏光シート３０は表示パネル０２の光出射面に近い。表示装置は、表示パネル０２の密封されたキャビティ１０に近い側に設置された第３の偏光シート０２１をさらに含むことができる。前記第３の偏光シート０２１と第２の偏光シート３０は一体化した構造であってもよく、即ち、視差バリア０１と表示パネル０２との間に１つの偏光シートを設置すればよい。
【００４５】
選択的に、当該表示装置は、複数本の交差して配置されたゲートラインとデータラインとをさらに含み、視差バリアにおける第１の方向はゲートラインの走査方向（行方向と見なされてもよい）であり、第２の方向はデータラインの走査方向（列方向と見なされてもよい）である。
【００４６】
本発明の実施例では、表示パネルにおいて、ゲートラインの走査方向とデータラインの走査方向に沿ってアレイ状に配列された複数の画素ユニットを含み、各画素ユニットは、交差して配置されたゲートラインとデータラインに囲まれた領域に位置し、各画素ユニットは赤色のサブ画素、緑色のサブ画素及び青色のサブ画素を含むことができ、視差バリアにおける透明電極ブロックの大きさは、表示パネルにおける画素ユニットの大きさと同じであってもよい。
【００４７】
実際の応用では、当該表示装置は、センサユニットとコントローラとをさらに含むことができ、ここで、センサユニットは、表示装置のコンテンツ表示方向を取得するために用いられ、コントローラは、コンテンツ表示方向に基づき、視差バリアにおける第１のスイッチ及び第２のスイッチのオン又はオフを制御するために用いられる。選択的に、当該センサユニットは重力センサである。
【００４８】
当業者は、説明の便宜および簡単のために、上述した表示装置の具体な作業過程は、以下の方法の実施例における対応する過程を参照してもよいことを明確に知ることができ、ここで説明を省略する。
【００４９】
つまり、本発明の実施例は、表示装置を提供し、第１の方向と第２の方向に沿ってアレイ状に配列された複数の透明電極ブロックを制御することにより、視差バリアにおいて第１の方向で制御される透明電極ブロックに対応する液晶を偏向させ、或いは、第２の方向で制御される透明電極ブロックに対応する液晶を偏向させ、さらには当該視差バリアが２つの方向でプライバシー保護を行うことができるようにし、プライバシー保護の柔軟性を向上させ、プライバシー保護の信頼性を高めた。
【００５０】
図６は、本発明の一例示的な実施例で提供された表示状態制御方法のフローチャートであり、当該表示状態制御方法は目標遮蔽状態を呈するように表示装置における視差バリアを制御するために用いられ、当該方法は下記のステップを含むことができる。
【００５１】
ステップ６０１：表示装置のコンテンツ表示方向を取得する。
【００５２】
ステップ６０２：コンテンツ表示方向に基づき、コンテンツ表示方向にマッチングする目標遮蔽状態を呈するように視差バリアを制御する。
【００５３】
ここで、目標遮蔽状態は第１の遮蔽状態又は第２の遮蔽状態であり、当該第１の遮蔽状態は、複数の第１の電極セットにおいて任意の隣接する２つの第１の電極セットにおける１つの電極セットと第２の透明電極層とが液晶を偏向させる電圧差を形成し、もう１つの電極セットと第２の透明電極層とが液晶を偏向させる電圧差を形成しない時に、視差バリアが呈する状態であり、当該第１の遮蔽状態は、図４−２に示す遮蔽状態を参照することができる。当該第２の遮蔽状態は、複数の第２の電極セットにおいて任意の隣接する２つの第２の電極セットにおける１つの電極セットと第２の透明電極層とが液晶を偏向させる電圧差を形成し、もう１つの電極セットと第２の透明電極層とが液晶を偏向させる電圧差を形成しない時に、視差バリアが呈する状態である。当該第２の遮蔽状態は、図４−１に示す遮蔽状態を参照することができる。
【００５４】
つまり、本発明の実施例は、状態制御方法のフローチャートを提供し、第１の方向と第２の方向に沿ってアレイ状に配列された複数の透明電極ブロックを制御することにより、視差バリアにおいて第１の方向で制御される透明電極ブロックに対応する液晶を偏向させ、或いは、第２の方向で制御される透明電極ブロックに対応する液晶を偏向させ、さらには当該視差バリアが２つの方向でプライバシー保護を行うことができるようにし、プライバシー保護の柔軟性を向上させ、プライバシー保護の信頼性を高めた。
【００５５】
図７−１は、本発明の一例示的な実施例で提供された他の表示状態制御方法のフローチャートであり、当該表示状態制御方法は目標遮蔽状態を呈するように表示装置における視差バリアを制御するために用いられ、当該方法は下記のステップを含むことができる。
【００５６】
ステップ７０１：重力センサにより表示装置のコンテンツ表示方向を取得する。
【００５７】
選択的に、ステップ７０１を実行するとともに、表示装置がプライバシー表示モードにあることも決定する必要がある。図７−２を参照し、図７−２は、関連技術において表示装置がプライバシー表示モードにある場合の原理図である。プライバシー表示モードにある場合、視差バリア０１は遮蔽状態を呈し、この時、Ｃ１箇所に位置するユーザー（即ち、表示装置の使用者）は、表示パネル０２における完全な表示コンテンツを鑑賞することができるが、Ｃ２箇所に位置する他のユーザーは、視線が視差バリア０１により制限され、表示パネル０２における表示コンテンツを鑑賞することができない、あるいは、表示パネル０２における表示コンテンツを完全に鑑賞することができない。本発明の実施例で提供された表示装置のプライバシー表示モードにある場合の原理は、関連技術と同じであり、ここで説明を省略する。
【００５８】
ステップ７０２：コンテンツ表示方向に基づき、コンテンツ表示方向にマッチングする目標遮蔽状態を呈するように視差バリアを制御する。
【００５９】
例示的に、視差バリアの遮蔽状態とコンテンツ表示方向との対応関係については、表１に示すように、取得されたコンテンツ表示方向が第２の方向である場合、対応する視差バリアは第１の遮蔽状態を呈し、取得されたコンテンツ表示方向が第１の方向である場合、対応する視差バリアは第２の遮蔽状態を呈してもよい。
【００６０】
【表１】
2019502938.tif 000003
【００６１】
ここで、取得されたコンテンツ表示方向が第２の方向である場合、視差バリアの複数の第１の電極セットにおいて任意の隣接する２つの第１の電極セットにおける１つの電極セットと第２の透明電極層とが液晶を偏向させる電圧差を形成し、もう１つの電極セットと第２の透明電極層とが液晶を偏向させる電圧差を形成しないように制御し、この時、オンになった第１の電極セットとオフになった第１の電極セットとが入り組んで配置し、視差バリアが第１の遮蔽状態を呈して、表示パネルに出射された光線が部分的に透過し、部分的に遮られることになる。取得されたコンテンツ表示方向が第１の方向である場合、視差バリアの複数の第２の電極セットにおいて任意の隣接する２つの第２の電極セットにおける１つの電極セットと第２の透明電極層とが液晶を偏向させる電圧差を形成し、もう１つの電極セットと第２の透明電極層とが液晶を偏向させる電圧差を形成しないように制御し、この時、オンになった第２の電極セットとオフになった第２の電極セットとが入り組んで配置し、視差バリアが第２の遮蔽状態を呈して、表示パネルに出射された光線が部分的に透過し、部分的に遮られることになる。
【００６２】
図７−３、図７−４及び図７−５を参照し、図７−３は、表示装置のコンテンツ表示方向が第２の方向である場合に対応する遮蔽状態の効果図であり、図７−４は、本発明の一例示的な実施例で提供された表示装置のコンテンツ表示方向が第１の方向である場合に対応する遮蔽状態の効果図であり、図７−５は、関連技術で提供された表示装置のコンテンツ表示方向が第１の方向である場合に対応する遮蔽状態の効果図である。上記３つの図から容易に分かるように、関連技術において表示装置のコンテンツ表示方向が第１の方向又は第２の方向である場合、いずれも１種類の遮蔽状態のみがあり、プライバシー保護の信頼性は比較的低い。本発明の実施例で提供された表示装置については、表示装置のコンテンツ表示方向が第１の方向である場合、当該表示装置における視差バリアは第２の遮蔽状態を呈し、表示装置のコンテンツ表示方向が第２の方向である場合、当該表示装置における視差バリアは第１の遮蔽状態を呈し、表示装置において異なるコンテンツ表示方向は異なる遮蔽状態に対応し、プライバシー保護の信頼性を高めた。
【００６３】
当業者は、便宜で簡単に説明するために、上述した表示装置が目標遮蔽状態を呈するように視差バリアを制御する具体な制御原理について、前記視差バリアの構造の実施例を参照してもよいことを明確に知ることができ、ここで説明を省略する。
【００６４】
つまり、本発明の実施例は、状態制御方法のフローチャートを提供し、第１の方向と第２の方向に沿ってアレイ状に配列された複数の透明電極ブロックを制御することにより、視差バリアにおいて第１の方向で制御される透明電極ブロックに対応する液晶を偏向させ、或いは、第２の方向で制御される透明電極ブロックに対応する液晶を偏向させ、さらには当該視差バリアが２つの方向でプライバシー保護を行うことができるようにし、プライバシー保護の柔軟性を向上させ、プライバシー保護の信頼性を高めた。
【００６５】
当業者は、上記実施例を実現するためのステップの全部又は一部は、ハードウェアにより達成されてもよく、プログラムが関連ハードウェアを指示することにより達成されてもよく、前記プログラムは１種類のコンピュータ読み取り可能な記録媒体に記憶されてもよいことを理解することができる。上述した記録媒体は、読み出し専用メモリ、磁気ディスク又は光ディスクなどであってもよい。
【００６６】
以上は、本発明の好ましい実施例に過ぎず、本発明を限定するために用いられるものではなく、本発明の主旨と原則の範囲内でのすべての修正、同等の置換、改善などは本発明の保護範囲に含まれるべきである。
【図１−１】
2019502938.tif 000004
【図１−２】
2019502938.tif 000005
【図１−３】
2019502938.tif 000006
【図２】
2019502938.tif 000007
【図３】
2019502938.tif 000008
【図４−１】
2019502938.tif 000009
【図４−２】
2019502938.tif 000010
【図５】
2019502938.tif 000011
【図６】
2019502938.tif 000012
【図７−１】
2019502938.tif 000013
【図７−２】
2019502938.tif 000014
【図７−３】
2019502938.tif 000015
【図７−４】
2019502938.tif 000016
【図７−５】
2019502938.tif 000017
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
密封されたキャビティと、前記密封されたキャビティの光出射側に設置された第１の偏光シートとを含み、
前記密封されたキャビティは、互いに平行な２つの基板と、前記２つの基板の間に設置された液晶層とを含み、
前記２つの基板は第１の基板と第２の基板とを含み、前記第１の基板の前記第２の基板に近い一面には第１の透明電極層が設置され、前記第１の透明電極層は第１の方向と第２の方向に沿ってアレイ状に配列された複数の透明電極ブロックであり、
前記第２の基板の前記第１の基板に近い一面には第２の透明電極層が設置され、前記第２の透明電極層は前記透明電極ブロックと前記液晶層における液晶を偏向させる電圧差を形成することができ、
前記第１の方向では、隣接する２つの透明電極ブロックごとに、その間には第１のスイッチが設置され、前記第２の方向では、隣接する２つの透明電極ブロックごとに、その間には第２のスイッチが設置され、
前記密封されたキャビティの光入射側から入射された直線偏光は、前記密封されたキャビティにおける液晶の制御のもとで前記第１の偏光シートを透過し、或いは前記第１の偏光シートによりフィルタリングされることを特徴とする視差バリア。
【請求項２】
前記視差バリアは、前記密封されたキャビティの光入射側に設置された第２の偏光シートをさらに含み、前記第２の偏光シートは前記第１の偏光シートの偏光方向と所定の角度をなし、前記第２の偏光シートを通って前記密封されたキャビティに入射された光線は直線偏光であることを特徴とする請求項１に記載の視差バリア。
【請求項３】
前記所定の角度は９０度であることを特徴とする請求項２に記載の視差バリア。
【請求項４】
前記第１の方向は前記第２の方向と直交していることを特徴とする請求項１に記載の視差バリア。
【請求項５】
前記第１のスイッチと前記第２のスイッチとは、いずれも薄膜電界効果トランジスタＴＦＴスイッチであることを特徴とする請求項１に記載の視差バリア。
【請求項６】
前記第１の透明電極層と前記第２の透明電極層とは、いずれも酸化インジウムスズＩＴＯからなることを特徴とする請求項１に記載の視差バリア。
【請求項７】
前記透明電極ブロックの各々は角形の構造であることを特徴とする請求項１に記載の視差バリア。
【請求項８】
表示パネルと、前記表示パネルの光出射面に設置された視差バリアとを含み、前記視差バリアは請求項１から請求項７のうちいずれか１項に記載の視差バリアであることを特徴とする表示装置。
【請求項９】
前記第１の偏光シートは前記密封されたキャビティの前記表示パネルから離れた一面に設置され、前記第２の偏光シートは前記密封されたキャビティの前記表示パネルに近い一面に設置され、
前記表示装置は、前記表示パネルの前記密封されたキャビティに近い側に設置された第３の偏光シートを含み、前記第２の偏光シートと前記第３の偏光シートは一体化した構造であることを特徴とする請求項８に記載の表示装置。
【請求項１０】
前記表示装置は、複数本の交差して配置されたゲートラインとデータラインとをさらに含み、前記第１の方向は前記ゲートラインの走査方向であり、前記第２の方向は前記データラインの走査方向であることを特徴とする請求項８に記載の表示装置。
【請求項１１】
前記表示装置はセンサユニットとコントローラとをさらに含み、
前記センサユニットは前記表示装置のコンテンツ表示方向を取得するために用いられ、
前記コントローラは、前記コンテンツ表示方向に基づき、前記視差バリアにおけるスイッチのオン又はオフを制御するために用いられることを特徴とする請求項８に記載の表示装置。
【請求項１２】
前記センサユニットは重力センサであることを特徴とする請求項１１に記載の表示装置。
【請求項１３】
請求項１から請求項１２のうちいずれか１項に記載の視差バリアに用いられる表示状態制御方法であって、
前記複数の透明電極ブロックは、第１の方向に沿ってアレイ状に配列された複数の第１の電極セットに分けられることができ、前記第１の電極セットはいずれも第２の方向に沿って配列された複数の透明電極ブロックを含み、或いは、前記複数の透明電極ブロックは、第２の方向に沿ってアレイ状に配列された複数の第２の電極セットに分けられることができ、前記第２の電極セットはいずれも第１の方向に沿って配列された複数の透明電極ブロックを含み、
前記表示装置のコンテンツ表示方向を取得するステップ、及び
前記コンテンツ表示方向に基づき、前記コンテンツ表示方向にマッチングする目標遮蔽状態を呈するように前記視差バリアを制御するステップを備え、
ここで、前記目標遮蔽状態は第１の遮蔽状態又は第２の遮蔽状態であり、前記第１の遮蔽状態は、前記複数の第１の電極セットの中の任意の隣接する２つの第１の電極セットにおける１つの電極セットと第２の透明電極層とが液晶を偏向させる電圧差を形成し、もう１つの電極セットと前記第２の透明電極層とが前記電圧差を形成しない時に、前記視差バリアが呈する状態であり、
前記第２の遮蔽状態は、前記複数の第２の電極セットの中の任意の隣接する２つの第２の電極セットにおける１つの電極セットと第２の透明電極層とが液晶を偏向させる電圧差を形成し、もう１つの電極セットと前記第２の透明電極層とが前記電圧差を形成しない時に、前記視差バリアが呈する状態であることを特徴とする表示状態制御方法。
【請求項１４】
前記表示装置のコンテンツ表示方向を取得するステップは、
重力センサにより前記表示装置のコンテンツ表示方向を取得するステップを含むことを特徴とする請求項１３に記載の表示状態制御方法。
【国際調査報告】
2019502938.tif 000018
2019502938.tif 000019
2019502938.tif 000020
2019502938.tif 000021
2019502938.tif 000022
2019502938.tif 000023